【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
携帯型ホスト装置に組み込まれるか、または接続されることができるモジュール式血中グルコース測定エンジンを検査するためのシステム（１００）であって、
通信ポート（１３０）に通信可能に接続され、かつ、電源（１２０）に電気的に接続された測定エンジンポート（１１０）を含んでいるホスト装置エミュレータ（１０２）、および、
前記ホスト装置エミュレータ（１０２）の前記通信ポート（１３０）に通信可能に接続され、プロセッサと、コンピュータが読み取りおよび実行可能な命令を備えるメモリとを含んでいる診断コンピュータ（１８０）を含んでおり、
前記ホスト装置エミュレータ（１０２）が、前記モジュール式血中グルコース測定エンジンが前記測定エンジンポート（１１０）に通信可能に接続されるときに、前記診断コンピュータ（１８０）と前記モジュール式血中グルコース測定エンジンとの間のデータ信号、制御信号、および診断信号の通信を促進することによって、前記モジュール式血中グルコース測定エンジンが操作可能に接続され得る前記携帯型ホスト装置との接続をシミュレートし、
前記プロセッサが、
制御信号および診断信号を前記モジュール式血中グルコース測定エンジンに送信するために、
前記モジュール式血中グルコース測定エンジンから送信されるデータ信号を受信および分析するために、
前記モジュール式血中グルコース測定エンジンによって行われるグルコース測定プロセスを監視するために、および、
受信された前記データ信号または監視された前記グルコース測定プロセスに基づいて、前記モジュール式血中グルコース測定エンジンの機能性を評価するために、
前記コンピュータが読み取りおよび実行可能な命令を実行する
モジュール式血中グルコース測定エンジンを検査するためのシステム。
【請求項２】
前記ホスト装置エミュレータ（１０２）が、前記測定エンジンポート（１１０）、前記通信ポート（１３０）、および前記電源（１２０）に通信可能に接続されたホスト装置ポート（１９０）をさらに含んでおり、
前記コンピュータが読み取りおよび実行可能な命令が、前記測定エンジンポート（１１０）に通信可能に接続される前記モジュール式血中グルコース測定エンジンと、前記ホスト装置ポート（１９０）に通信可能に接続される前記ホスト装置との間で交換されるデータ信号および制御信号を監視するために、前記プロセッサによって実行される請求項１記載のシステム。
【請求項３】
前記コンピュータが読み取りおよび実行可能な命令が、前記グルコース測定プロセスを通して前記モジュール式血中グルコース測定エンジンを１ステップずつ進め、前記グルコース測定プロセスの１つの命令が実行された後に前記モジュール式血中グルコース測定エンジンを一時休止するために、前記プロセッサによって実行される請求項１記載のシステム。
【請求項４】
前記コンピュータが読み取りおよび実行可能な命令が、前記モジュール式血中グルコース測定エンジンを較正するために、前記プロセッサによって実行される請求項１記載のシステム。
【請求項５】
ウェイク要求インディケータ（１６３）、測定エンジン要求インディケータ（１６１）および測定エンジンレディインディケータ（１６２）をさらに含んでおり、
前記ウェイク要求インディケータ（１６３）は、前記測定エンジンポート（１１０）に電気的に接続されており、ウェイク要求信号が前記測定エンジンポート（１１０）に送信されるときに、視認性または可聴性の信号を提供し、
前記測定エンジン要求インディケータ（１６１）は、前記測定エンジンポート（１１０）に電気的に接続されており、前記測定エンジンポート（１１０）へ、または該測定エンジンポートから、電子信号が送信されるときに、視認性または可聴性の信号を提供し、および、
前記測定エンジンレディインディケータ（１６２）は、前記測定エンジンポート（１１０）に電気的に接続されており、前記モジュール式血中グルコース測定エンジンが前記測定エンジンポート（１１０）に通信可能に接続され、前記モジュール式血中グルコース測定エンジンが、制御信号を受信する、またはデータ信号を送信する準備ができているときに、視認性または可聴性の信号を提供する請求項１記載のシステム。
【請求項６】
前記ホスト装置エミュレータ（１０２）が、前記測定エンジンポート（１１０）に通信可能に接続されたリセット回路（１５０）を含んでいる請求項１記載のシステム。
【請求項７】
前記ホスト装置エミュレータ（１０２）が、前記測定エンジンポート（１１０）に通信可能に接続されたウェイク要求回路（１４０）を含んでいる請求項１記載のシステム。
【請求項８】
前記ホスト装置エミュレータ（１０２）が、前記測定エンジンポート（１１０）に通信可能に接続されたプログラミングポート（１７０）を含んでいる請求項１記載のシステム。
【請求項９】
前記プログラミングポート（１７０）が、コンピュータが読み取りおよび実行可能な命令が記憶されたメモリに通信可能に接続されたプロセッサを含んでおり、前記プロセッサが、前記測定エンジンポート（１１０）に通信可能に接続される前記モジュール式血中グルコース測定エンジンに命令のセットをアップロードするために、前記命令の実行に使用可能である請求項８記載のシステム。
【請求項１０】
前記ホスト装置エミュレータ（１０２）が、前記測定エンジンポート（１１０）に通信可能に接続された拡張ポート（１９５）をさらに含んでいる請求項１記載のシステム。
【請求項１１】
前記モジュール式血中グルコース測定エンジンが前記測定エンジンポート（１１０）に接続されるときに、前記モジュール式血中グルコース測定エンジンが、前記電源（１２０）によって電力を供給される請求項１記載のシステム。
【請求項１２】
ホスト装置が前記ホスト装置ポート（１９０）に接続されるときに、前記ホスト装置が、前記電源（１２０）によって電力を供給される請求項２記載のシステム。
【請求項１３】
携帯型ホスト装置に組み込まれるか、または接続されることができるモジュール式血中グルコース測定エンジンと診断コンピュータ（１８０）との間の通信を促進するホスト装置エミュレータ（１０２）であって、
電源（１２０）と、
前記電源（１２０）に電気的に接続され、前記診断コンピュータ（１８０）に通信可能に接続できる通信ポート（１３０）と、
前記通信ポート（１３０）に通信可能に接続され、少なくとも１つのインディケータ（１６０）および前記電源（１２０）に電気的に接続された測定エンジンポート（１１０）と、ここで、該測定エンジンポート（１１０）は前記モジュール式血中グルコース測定エンジンに通信可能に接続できる、
前記電源（１２０）に電気的に接続され、前記測定エンジンポート（１１０）および前記通信ポート（１３０）に通信可能に接続されたホスト装置ポート（１９０）、ここで、該ホスト装置ポート（１９０）は前記携帯型ホスト装置に通信可能に接続できる、
とを含んでおり、
前記測定エンジンポート（１１０）、前記ホスト装置ポート（１９０）、および前記通信ポート（１３０）が、
前記診断コンピュータ（１８０）と前記モジュール式血中グルコース測定エンジンとの間のデータ信号、制御信号、および診断信号の通信を容易にするために、
前記ホスト装置と前記モジュール式血中グルコース測定エンジンとの間のデータ信号および制御信号の通信を容易にするために、
前記ホスト装置と前記モジュール式血中グルコース測定エンジンとの間のデータ信号および制御信号を監視するための前記診断コンピュータ（１８０）の使用を容易にするために、および、
受信された前記データ信号または監視されたグルコース測定プロセスに基づいて、前記モジュール式血中グルコース測定エンジンの機能性を評価するための前記診断コンピュータ（１８０）の使用を容易にするために、
使用可能であるホスト装置エミュレータ（１０２）。
【請求項１４】
少なくとも１つの前記インディケータ（１６０）が、ウェイク要求インディケータ（１６３）、測定エンジン要求インディケータ（１６１）および測定エンジンレディインディケータ（１６２）を含んでおり、
前記ウェイク要求インディケータ（１６３）は、前記測定エンジンポート（１１０）に電気的に接続されており、ウェイク要求信号が前記測定エンジンポート（１１０）に送信されるときに、視認性または可聴性の信号を提供し、
前記測定エンジン要求インディケータ（１６１）は、前記測定エンジンポート（１１０）に電気的に接続されており、前記測定エンジンポート（１１０）へ、または該測定エンジンポートから、電子信号が送信されるときに、視認性または可聴性の信号を提供し、および、
前記測定エンジンレディインディケータ（１６２）は、前記測定エンジンポート（１１０）に電気的に接続されており、前記血中グルコース測定エンジンが前記測定エンジンポート（１１０）に通信可能に接続され、前記モジュール式血中グルコース測定エンジンが、制御信号を受信する、またはデータ信号を送信する準備ができているときに、視認性または可聴性の信号を提供する請求項１３記載のホスト装置エミュレータ（１０２）。
【請求項１５】
前記測定エンジンポート（１１０）に通信可能に接続されたリセット回路（１５０）と、前記測定エンジンポート（１１０）に通信可能に接続されたウェイク要求回路（１４０）とをさらに含んでおり、前記リセット回路（１５０）が、前記測定エンジンポート（１１０）へのリセット信号を手動で起こすためのリセットスイッチ（１５４）を含んでおり、
前記ウェイク要求回路（１４０）が、前記測定エンジンポート（１１０）へのウェイク要求信号を手動で起こすためのウェイク要求スイッチ（１４２）を含んでいる請求項１３記載のホスト装置エミュレータ（１０２）。
【請求項１６】
前記測定エンジンポート（１１０）に通信可能に接続されたプログラミングポート（１７０）をさらに含んでいる請求項１３記載のホスト装置エミュレータ（１０２）。
【請求項１７】
前記モジュール式血中グルコース測定エンジンの前記機能性を評価することが、
（i）前記血中グルコース測定エンジンの使用可能性および機能性を検査するために、受信された前記データ信号に基づいて診断プログラムを実行する、
（ii）前記モジュール式血中グルコース測定エンジンを適格と認定するために、受信された前記データ信号を分析する、および
（iii）前記モジュール式血中グルコース測定エンジンを較正するために、受信された前記データ信号を分析する
の少なくとも１つを含んでいる請求項１記載のシステム（１００）。
【請求項１８】
前記コンピュータが読み取りおよび実行可能な命令が、前記モジュール式血中グルコース測定エンジンの前記機能性の評価に基づいて、前記モジュール式血中グルコース測定エンジンに作用するように関連付けられる測定エンジンメモリに配置された命令を変更するために、前記プロセッサによって実行される請求項１７記載のシステム（１００）。
【請求項１９】
前記コンピュータが読み取りおよび実行可能な命令が、前記モジュール式血中グルコース測定エンジンと前記ホスト装置との間で交換される前記データ信号および前記制御信号に基づいて、前記モジュール式血中グルコース測定エンジンの前記機能性を評価するために、前記プロセッサによって実行される請求項２記載のシステム（１００）。
【請求項２０】
前記モジュール式血中グルコース測定エンジンの前記機能性を評価するための前記診断コンピュータ（１８０）の使用を容易にすることが、
（i）前記血中グルコース測定エンジンの使用可能性および機能性を検査するために、受信された前記データ信号に基づいて診断プログラムを実行すること、
（ii）前記モジュール式血中グルコース測定エンジンを適格と認定するために、受信された前記データ信号を分析すること、
（iii）前記モジュール式血中グルコース測定エンジンを較正するために、受信された前記データ信号を分析すること、および、
（iv）前記モジュール式血中グルコース測定エンジンと前記ホスト装置との間で交換される前記データ信号および前記制御信号を分析すること
の少なくとも１つを含んでいる請求項１３記載のホスト装置エミュレータ（１０２）。
【請求項２１】
前記測定エンジンポート（１１０）、前記ホスト装置ポート（１９０）、および前記通信ポート（１３０）が、前記モジュール式血中グルコース測定エンジンの前記機能性の評価に基づいて、前記モジュール式血中グルコース測定エンジンに作用するように関連付けられる測定エンジンメモリに配置された命令を変更するために使用できる請求項１３記載のホスト装置エミュレータ（１０２）。